(57)【特許請求の範囲】
【請求項１】
エリアセンサと無線ＩＣタグリーダとを一体的に設けた表示部と、前記エリアセンサにより前記表示部の画面上に載置された対象物からの反射光を検出すると共に、前記無線ＩＣタグリーダにより無線ＩＣタグが前記画面に近接したことを検出する制御部とを備え、
前記制御部は、前記無線ＩＣタグが前記画面に近接したことを検出した場合、前記無線ＩＣタグリーダにより前記無線ＩＣタグの情報を読み取る無線ＩＣタグ読取モードに切り換え、
前記対象物からの反射光の領域に基づいて、該対象物が原稿と判定した場合、前記エリアセンサにより前記画面上に載置された原稿を読み取る原稿読取モードに切り換え、
前記対象物が原稿と判定し、且つ、前記無線ＩＣタグが前記画面に近接したことを検出した場合、前記原稿読取モードへの切り換えを禁止し、前記無線ＩＣタグ読取モードに切り換えることを特徴とする原稿読取装置。
【請求項２】
請求項１に記載の原稿読取装置において、前記無線ＩＣタグの情報が、電子マネー情報である場合、前記無線ＩＣタグリーダにより読み取った前記電子マネー情報に基づいて課金処理を行うことを特徴とする原稿読取装置。
【請求項３】
請求項２に記載の原稿読取装置において、該原稿読取装置は、画像形成装置と接続され、該画像形成装置を使用した費用の課金処理を、前記電子マネー情報により行うことを特徴とする原稿読取装置。
【請求項４】
請求項２に記載の原稿読取装置において、該原稿読取装置は、画像形成装置とコイン式課金装置とに接続され、前記画像形成装置を使用した費用の課金処理を、前記コイン式課金装置あるいは前記電子マネー情報のいずれかにより行うことを特徴とする原稿読取装置。
【請求項５】
請求項２に記載の原稿読取装置において、前記無線ＩＣタグが複数の電子マネー情報を有する場合、前記制御部は、前記画面上における前記無線ＩＣタグが載置された位置に応じて、前記複数の電子マネー情報のいずれかを選択することを特徴とする原稿読取装置。
【請求項６】
請求項１に記載の原稿読取装置において、前記制御部は、前記対象物からの反射光の領域に基づいて、該対象物がユーザの指か否かを判定し、ユーザの指と判定した場合、前記エリアセンサによってユーザ操作を受け付けるユーザ操作モードに切り換えることを特徴とする原稿読取装置。
【請求項７】
請求項１に記載の原稿読取装置において、前記制御部は、前記表示部の画面上に、原稿を読み取るための読取領域と、前記原稿読取装置の操作キーを表示するための操作領域とを設定することを特徴とする原稿読取装置。
【請求項８】
請求項１に記載の原稿読取装置において、前記表示部の画面上に、前記原稿読取装置の操作キーを表示するための操作領域を有し、
前記制御部は、前記対象物が原稿と判定した場合、該原稿が載置された領域以外を前記操作領域として設定することを特徴とする原稿読取装置。
【請求項９】
請求項７又は８に記載の原稿読取装置において、前記制御部は、前記原稿読取装置の操作領域に、１ページに複数の原稿を集約するための集約モードに切り換えるか否かを確認するための操作キーを表示させることを特徴とする原稿読取装置。
【請求項１０】
請求項７又は８に記載の原稿読取装置において、前記制御部は、前記原稿読取装置の操作領域に、前記原稿のプレビュー画像を表示させることを特徴とする原稿読取装置。
【請求項１１】
請求項１乃至１０のいずれか１項に記載の原稿読取装置を備えた画像形成装置。
【発明の詳細な説明】
【技術分野】
【０００１】
本発明は、原稿読取装置及び画像形成装置に関し、液晶パネル等の表示画面上で原稿を読み取る機能を備えた原稿読取装置及び該原稿読取装置を備えた画像形成装置に関する。
【背景技術】
【０００２】
近年、コピー機能、プリンタ機能、ファクシミリ機能、スキャナ機能などの複数の機能を備えたデジタル複合機（ＭＦＰ）が普及している。このＭＦＰには、通常Ａ３サイズまでの原稿を読み取ることができるように大きな原稿台が設けられている。ユーザはこのＭＦＰでコピーしようとした場合、原稿台に原稿をセットした状態で原稿カバーを閉めてスキャンを実行する。
【０００３】
この際、原稿カバーを閉じると原稿が隠れてしまい、ユーザは原稿を目視することができなくなる。このため、ユーザはコピーを入手した後に原稿台にセットした原稿をうっかり取り忘れてしまうことがある。特に免許証や、名刺、Ｌ版写真等のように比較的サイズの小さい原稿をコピーする場合、その存在に気が付かずに取り忘れることが多い。
【０００４】
ところで、比較的小型の液晶パネルに、従来の画像データを画面表示する表示機能に加えて、画面上に置かれた原稿を読み取る読取機能を持たせたインプットディスプレイが注目されている（例えば、特許文献１を参照）。このインプットディスプレイをＰＤＡなどの携帯端末に搭載することで、カードサイズの原稿を簡単に読み取って取り込むことができる。なお、インプットディスプレイには通常エリアセンサが用いられる。エリアセンサは、平面に設けられた光電変換素子により被写体の画像を電気信号として取り込むため、ラインセンサと異なり光電変換素子をスキャンする必要がなく、スキャンのためのモータ等が不要となる。
【０００５】
また、特許文献２には、パーソナルコンピュータの表示部と一体的に設けられた無線ＩＣタグリーダによりＩＣタグ情報を読み取って表示するようにしたものが記載されている。このような無線ＩＣタグの技術はＭＦＰにも応用されており、例えば、ＭＦＰに無線ＩＣタグリーダを設けて、無線ＩＣタグを利用した電子マネーによりコピー料金の支払いを可能とするシステムが知られている。
【特許文献１】特開２００６−１７９９７７号公報
【特許文献２】特開２００２−２０４２３９号公報
【発明の開示】
【発明が解決しようとする課題】
【０００６】
ＭＦＰの操作部は通常タッチパネル付き液晶表示部を備えたものが多く、この部分はユーザが直接操作するところなので、ユーザにとって最も目に付く場所であると言える。この液晶表示部に前述の読取機能を備えるようにすれば、免許証などの比較的小サイズの原稿を読み取って取り込むことができる。この場合、原稿を原稿台にいちいちセットする必要がないため、原稿を簡単に読み取ることができ、さらに、液晶表示部がユーザにとって最も目に付く場所であることから、原稿の取り忘れを防止することができる。
【０００７】
さらに、無線ＩＣタグによる電子マネー機能を備えたＩＣカードや携帯電話機などでＭＦＰを利用しようとした場合、ＭＦＰの液晶表示部に無線ＩＣタグリーダを設けて、電子マネー情報を格納した無線ＩＣタグを近接させるだけで、コピー料金等の支払いを行うことができるようになる。この場合、ユーザはＭＦＰの液晶表示部から、操作入力、原稿読取、無線ＩＣタグ読取を行うことが可能となり、液晶表示部だけで複数の異なる機能を実行することができ、操作性の向上が期待できる。
【０００８】
しかしながら、特許文献１の技術においては、インプットディスプレイをＭＦＰと組み合わせて利用することまで考えられていなかったため、ＭＦＰの液晶表示部で原稿を読み取ることはできない。
また、特許文献２の技術においては、無線ＩＣタグリーダをＭＦＰの液晶表示部に組み込んで利用することまでは考えられていなかったため、ＭＦＰの液晶表示部で無線ＩＣタグを読み取ることはできない。
また、ＭＦＰの液晶表示部で原稿読取と無線ＩＣタグ読取を行うために、液晶表示部を原稿読取モードと無線ＩＣタグ読取モードとに適宜切り換える必要があるが、従来技術ではこれら２つのモードを切り換えることはできなかった。
【０００９】
本発明は、上述のごとき実情に鑑みてなされたものであり、操作パネルの表示画面上で原稿の読み取りと無線ＩＣタグの読み取りを行うことにより、原稿の取り忘れを防止すると共に、原稿読取モードと無線ＩＣタグ読取モードとを自動的に切り換えて、無線ＩＣタグによる電子マネー機能などを利用できるようにすること、を目的とする。
【課題を解決するための手段】
【００１０】
上記課題を解決するために、本発明の第１の技術手段は、エリアセンサと無線ＩＣタグリーダとを一体的に設けた表示部と、前記エリアセンサにより前記表示部の画面上に載置された対象物からの反射光を検出すると共に、前記無線ＩＣタグリーダにより無線ＩＣタグが前記画面に近接したことを検出する制御部とを備え、前記制御部は、前記無線ＩＣタグが前記画面に近接したことを検出した場合、前記無線ＩＣタグリーダにより前記無線ＩＣタグの情報を読み取る無線ＩＣタグ読取モードに切り換え、前記対象物からの反射光の領域に基づいて、該対象物が原稿と判定した場合、前記エリアセンサにより前記画面上に載置された原稿を読み取る原稿読取モードに切り換え、前記対象物が原稿と判定し、且つ、前記無線ＩＣタグが前記画面に近接したことを検出した場合、前記原稿読取モードへの切り換えを禁止し、前記無線ＩＣタグ読取モードに切り換えることを特徴としたものである。
【００１２】
第２の技術手段は、第１の技術手段において、前記無線ＩＣタグの情報が、電子マネー情報である場合、前記無線ＩＣタグリーダにより読み取った前記電子マネー情報に基づいて課金処理を行うことを特徴としたものである。
【００１３】
第３の技術手段は、第２の技術手段において、該原稿読取装置は、画像形成装置と接続され、該画像形成装置を使用した費用の課金処理を、前記電子マネー情報により行うことを特徴としたものである。
【００１４】
第４の技術手段は、第２の技術手段において、該原稿読取装置は、画像形成装置とコイン式課金装置とに接続され、前記画像形成装置を使用した費用の課金処理を、前記コイン式課金装置あるいは前記電子マネー情報のいずれかにより行うことを特徴としたものである。
【００１５】
第５の技術手段は、第２の技術手段において、前記無線ＩＣタグが複数の電子マネー情報を有する場合、前記制御部は、前記画面上における前記無線ＩＣタグが載置された位置に応じて、前記複数の電子マネー情報のいずれかを選択することを特徴としたものである。
【００１６】
第６の技術手段は、第１の技術手段において、前記制御部は、前記対象物からの反射光の領域に基づいて、該対象物がユーザの指か否かを判定し、ユーザの指と判定した場合、前記エリアセンサによってユーザ操作を受け付けるユーザ操作モードに切り換えることを特徴としたものである。
【００１７】
第７の技術手段は、第１の技術手段において、前記制御部は、前記表示部の画面上に、原稿を読み取るための読取領域と、前記原稿読取装置の操作キーを表示するための操作領域とを設定することを特徴としたものである。
【００１８】
第８の技術手段は、第１の技術手段において、前記表示部の画面上に、前記原稿読取装置の操作キーを表示するための操作領域を有し、前記制御部は、前記対象物が原稿と判定した場合、該原稿が載置された領域以外を前記操作領域として設定することを特徴としたものである。
【００１９】
第９の技術手段は、第７又は第８の技術手段において、前記制御部は、前記原稿読取装置の操作領域に、１ページに複数の原稿を集約するための集約モードに切り換えるか否かを確認するための操作キーを表示させることを特徴としたものである。
【００２０】
第１０の技術手段は、第７又は第８の技術手段において、前記制御部は、前記原稿読取装置の操作領域に、前記原稿のプレビュー画像を表示させることを特徴としたものである。
【００２１】
第１１の技術手段は、第１乃至第１０のいずれか１の技術手段における原稿読取装置を備えた画像形成装置である。
【発明の効果】
【００２２】
本発明によれば、エリアセンサを用いて操作パネルの表示画面上で原稿の読み取りを行うことができるため、原稿台に原稿をセットする必要がなく、原稿の取り忘れを防止することができ、さらに、無線ＩＣタグリーダにより無線ＩＣタグが表示画面に近接したことを検出できるため、原稿読取モードと無線ＩＣタグ読取モードとを自動的に切り換えて、無線ＩＣタグによる電子マネー機能などを容易に利用することができる。
また、ユーザはＭＦＰの液晶表示部から、操作入力、原稿読取、無線ＩＣタグ読取を行うことが可能となり、液晶表示部だけで複数の異なる機能を実行することができるため、操作性の向上を図ることができる。
【発明を実施するための最良の形態】
【００２３】
以下、添付図面を参照しながら、本発明の原稿読取装置及び該原稿読取装置を備えた画像形成装置の好適な実施の形態について説明する。
【００２４】
図１は、本発明の一実施形態に係る画像形成装置の構成例を示す図で、図中、１００は画像形成装置を示す。画像形成装置１００は、外部から伝達された画像データに応じて、所定のシート（記録用紙）に対して多色及び単色の画像を形成するもので、装置本体部１１０と、自動原稿処理装置１２０とにより構成されている。
装置本体部１１０は、露光ユニット１、現像器２、感光体ドラム３、クリーナユニット４、帯電器５、中間転写ベルトユニット６、定着ユニット７、給紙カセット８１、排紙トレイ９１等を有して構成されている。
【００２５】
装置本体部１１０の上部には、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また自動原稿処理装置１２０は矢印Ｍ方向に回動自在に構成され、原稿載置台９２の上を開放することにより原稿を手置きで置くことができるようになっている。
【００２６】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、及びクリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２７】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２８】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００２９】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００３０】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３１】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３２】
上述のように各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３３】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３４】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３５】
給紙カセット８１は、画像形成に使用するシート（記録用紙）を蓄積しておくためのトレイであり、装置本体部１１０の露光ユニット１の下側に設けられている。また手差し給紙カセット８２にも画像形成に使用するシートを置くことができる。また、装置本体部１１０の上方に設けられている排紙トレイ９１は、印刷済みのシートをフェイスダウンで集積するためのトレイである。
【００３６】
また装置本体部１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００３７】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００３８】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００３９】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００４０】
次にシート搬送経路を詳細に説明する。上述のように、画像形成装置１００には予めシートを収納する給紙カセット８１、及び手差し給紙カセット８２が設けられている。これら給紙カセット８１，８２からシートを給紙するために、各々ピックアップローラ１１ａ，１１ｂが配置され、シートを１枚ずつ搬送路Ｓに導くようになっている。
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００４１】
上記の搬送経路は、シートに対する片面印字要求のときのものであるが、これに対して両面印字要求の時は、上記のように片面印字が終了し定着ユニット７を通過したシートの後端が最終の搬送ローラ１２ｂで把持されたときに、搬送ローラ１２ｂが逆回転することによってシートを搬送ローラ１２ｃ，１２ｄに導く。そしてその後レジストローラ１３を経てシート裏面に印字が行われた後にシートが排紙トレイ９１に排出される。
【００４２】
図２は、図１に示した画像形成装置１００の構成例を示すブロック図である。図中、画像形成装置１００は、本発明の制御部に相当するメインＣＰＵ１０１を備える。そして、メインＣＰＵ１０１には画像処理部１０２、ＲＯＭ１０３、ＲＡＭ１０４、画像メモリ１０５、ＮＩＣ１０６、操作パネル４００、サブＣＰＵ２０３、及びサブＣＰＵ３０３が接続されている。なお、本発明の原稿読取装置は、メインＣＰＵ１０１と、操作パネル４００が備える一体型表示部４０１とで構成される。
【００４３】
メインＣＰＵ１０１は、ＲＯＭ１０３に予め書き込まれたプログラムにしたがって各入出力機器を統括して制御し、この間に入出力されるデータをＲＡＭ１０４の所定のメモリエリアに一時記憶する。画像メモリ１０５は、画像処理部１０２から出力された画像データを記憶する。クライアントＰＣ１０７から送信された印字データやパスワードは、図示しないＨＤＤに記憶される。
【００４４】
操作パネル４００は、本発明の表示部に相当する一体型表示部４０１と、テンキーやスタートキーなどのキースイッチ部４０２とを備える。一体型表示部４０１は、液晶ディスプレイ（LCD：Liquid Crystal Display）などの表示部４０１ａと、主に名刺，免許証などのＩＤカード，Ｌ版写真などの小サイズ原稿の読み取りが可能なエリアセンサ部４０１ｂと、無線ＩＣタグの情報を読み取り可能な無線ＩＣタグリーダ４０１ｃとが一体的に設けられている。なお、エリアセンサ部４０１ｂは、ユーザの指による反射光を検出することで、画面上における指の座標位置を特定することができる。このため、エリアセンサ部４０１ｂを光学式タッチパネルとしても利用することができる。また、表示部４０１ａは、画像形成装置１００の状態や利用可能な用紙サイズ、複写倍率等の表示を行う。
【００４５】
ＮＩＣ（Network Interface Card）１０６は、クライアントＰＣ１０７と通信回線を介して通信を行うための通信手段である。画像形成装置１００は、クライアントＰＣ１０７から転送されるプリントデータに基づいて印刷を行う、もしくは、原稿読取部３００により得た画像データをＮＩＣ１０６を介してクライアントＰＣ１０７に転送する。
【００４６】
画像形成部２００は、サブＣＰＵ２０３により制御され、定着ユニット２０１、ドライバ２０２、Ａ／Ｄ変換器２０４を含む。この定着ユニット２０１は、図１に示した定着ユニット７に相当し、定着ヒータ２０１ａ、定着温度センサ２０１ｂを備える。定着温度センサ２０１ｂは、図１の定着ユニット７において加熱（ヒート）ローラ７１の温度を検出して温度データをサブＣＰＵ２０３に出力する。
【００４７】
メインＣＰＵ１０１は第１の復帰処理として、サブＣＰＵ２０３に所定のウオームアップコマンドを送信する。サブＣＰＵ２０３は、メインＣＰＵ１０１より所定のウオームアップコマンドを受けると、定着ヒータ２０１ａに通電し、定着温度センサ２０１ｂから得られる温度情報を基に、定着ヒータ２０１ａにより加熱される加熱ローラ７１の表面温度を所定の温度に一定化するよう定着ヒータ２０１ａの通電を制御する。サブＣＰＵ２０３は加熱ローラ７１の表面が所定温度に到達したならば、処理可能状態（レディ状態）に達したと判断して、メインＣＰＵ１０１に通知する。
【００４８】
原稿読取部３００は、サブＣＰＵ３０３により制御され、光源ランプユニット３０１、ドライバ３０２、Ａ／Ｄ変換器３０４を含む。この光源ランプユニット３０１は、図１に示した露光ユニット１に相当し、光源ランプ３０１ａ、光量センサ３０１ｂを備える。光量センサ３０１ｂは、光源ランプユニット３０１の光源ランプ３０１ａが照射した光の光量を検出して光量データをサブＣＰＵ３０３に入力する。
【００４９】
メインＣＰＵ１０１は第２の復帰処理として、サブＣＰＵ３０３に所定のウオームアップコマンドを送信する。サブＣＰＵ３０３は、メインＣＰＵ１０１より所定のウオームアップコマンドを受けると、光源ランプ３０１ａに通電し、光量センサ３０１ｂから得られる光量情報を基に、光源ランプ３０１ａの光量が所定の光量に一定化するよう光源ランプ３０１ａの通電を制御する。サブＣＰＵ３０３は光源ランプ３０１ａの光量が所定の光量に到達したら、処理可能状態（レディ状態）に達したと判断して、メインＣＰＵ１０１に通知する。
【００５０】
ドライバ３０２は、サブＣＰＵ３０３から出力された制御データに基づいて光源ランプユニット３０１の光源ランプ３０１ａを駆動する。ドライバ２０２は、サブＣＰＵ２０３から出力された制御データに基づいて定着ユニット２０１の加熱ローラに内蔵された定着ヒータ２０１ａを駆動する。
【００５１】
サブＣＰＵ２０３，サブＣＰＵ３０３には、上記以外にも画像形成部及び原稿読取部内のモータ、クラッチ、ソレノイド及びセンサ等の原稿読取処理時及び画像形成処理時に動作する多数の入出力機器が接続されている。サブＣＰＵ２０３，サブＣＰＵ３０３は、原稿読取処理時及び画像形成処理時に所定のタイミングでセンサの検出データを読み取り、検出データに応じてモータ等を駆動する。
【００５２】
また、画像形成装置１００は、本発明のコイン式課金装置に相当するコインベンダ１０８と接続される。コインベンダ１０８は、ユーザからコピー料金等を徴収するためのもので、例えば、白黒コピー１枚／１０円である場合、１００円投入すれば、１０枚分コピーすることができる。
【００５３】
本発明の主たる特徴部分は、操作パネルの表示画面上で原稿の読み取りと無線ＩＣタグの読み取りを行うことにより、原稿の取り忘れを防止すると共に、原稿読取モードと無線ＩＣタグ読取モードとを自動的に切り換えて、無線ＩＣタグによる電子マネー機能などを利用できるようにすることである。このための構成として、原稿読取装置は、エリアセンサ部４０１ｂと無線ＩＣタグリーダ４０１ｃとを一体的に設けた一体型表示部４０１と、一体型表示部４０１の画面表示を制御するメインＣＰＵ１０１とを備え、エリアセンサ部４０１ｂにより一体型表示部４０１の画面上に載置された対象物からの反射光を検出すると共に、無線ＩＣタグリーダ４０１ｃにより無線ＩＣタグが画面に近接したことを検出する。
【００５４】
メインＣＰＵ１０１は、無線ＩＣタグが画面に近接したことを検出した場合、無線ＩＣタグリーダ４０１ｃにより無線ＩＣタグの情報を読み取る無線ＩＣタグ読取モードに切り換える。なお、メインＣＰＵ１０１は、エリアセンサ部４０１ｂが検出した対象物からの反射光の領域に基づいて、対象物が原稿か否かを判定し、対象物が原稿と判定した場合、エリアセンサ部４０１ｂにより画面上に載置された原稿を読み取る原稿読取モードに切り換え可能とする。ここで、ユーザ操作により原稿読取モードに設定してある状態で、無線ＩＣタグが近接したときに無線ＩＣタグの読み取りを行うようにしてもよい。
【００５５】
図３は、本発明に係る一体型表示部及び無線ＩＣタグカードの構成例を示す図である。図３（Ａ）は一体型表示部４０１の構造の一例を示す図である。図中、４１は液晶層、４２は光センサ、４３は遮光層、４４はバックライト光源、４５は無線ＩＣタグリーダ４０１ｃのアンテナを示す。エリアセンサ部４０１ｂは、ＸＹ平面に均等に配置された複数の微少な光センサ４２からなり、表示部４０１ａの液晶層４１と、バックライト光源４４の中間に位置する。光センサ４２には例えばフォトダイオードが用いられる。また、光センサ４２にはバックライト光源４４の光が入射しないよう、遮光層４３が形成されている。液晶層４１の表面に物体が接触すると、バックライト光源４４の光が接触した物体に反射して光センサ４２に入射することで、物体の画像形状が画像データとして出力される。また、バックライト光源４４の下面には無線ＩＣタグリーダ４０１ｃのアンテナ４５が設けられており、無線ＩＣタグとの無線通信を可能とする。
【００５６】
なお、図３（Ａ）において、光センサとバックライト光源とは、例えば、公知の方法（特開２００４−１５３３２７号公報など）により配置される。光センサの面積は微小であり、実際には光センサ間に十分な広さの間隙が構成される。そして、この間隙を介してバックライト光が照射、拡散されるため、図３のように光センサを配置した場合でも液晶表示に影響することはない。
【００５７】
図３（Ｂ）は無線ＩＣタグカードの構成例を示すブロック図で、図中、４６は無線ＩＣタグカードを示す。無線ＩＣタグカード４６は、カード側アンテナ４６ａ、カード側ＣＰＵ４６ｂ、カード側メモリ４６ｃを備える。カード側アンテナ４６ａは、原稿読取装置側の無線ＩＣタグリーダ４０１ｃのアンテナ４５と電磁波で通信を行う。カード側ＣＰＵ４６ｂ及びカード側メモリ４６ｃは、カード側アンテナ４６ａで受信した電磁波を供給電力として動作し、カード側メモリ４６ｃに記憶された情報を原稿読取装置に送信する、あるいは、原稿読取装置からの情報をカード側メモリ４６ｃに記憶する。また、カード側メモリ４６ｃは、識別情報ｄ１と種別情報ｄ２を格納する。識別情報ｄ１は無線ＩＣタグカード１０９を所持するユーザに対して一対一に付与されるＩＤ情報であり、種別情報ｄ２はカードの種類を示す。この種別情報ｄ２は、例えば、無線ＩＣタグカード４６が電子マネー機能を備えたカードであり、特定の決済システムにおいて利用されるものであることを示す。
【００５８】
図４は、本発明の特徴部である一体型表示部４０１が設けられた原稿読取装置の外観を示す図である。図中、原稿読取装置は、一体型表示部４０１が設けられた操作パネル４００を有する。図４（Ａ）に示す例の場合、原稿４７は無線ＩＣタグを持たないため、原稿読取装置は、一体型表示部４０１の画面上に免許証や名刺等の小サイズの原稿４７がセットされると、原稿読取モードに切り換えられ、エリアセンサ部４０１ｂにより原稿４７が読み取られる。
また、図４（Ｂ）に示す例の場合、無線ＩＣタグカード４６は無線ＩＣタグを持つため、原稿読取装置は、一体型表示部４０１の画面に無線ＩＣタグカード４６が近接されると、無線ＩＣタグ読取モードに切り換えられ、無線ＩＣタグリーダ４０１ｃにより無線ＩＣタグカード４６の無線ＩＣタグの情報が読み取られる。なお、無線ＩＣタグの形態としては、図示のようなカード形状に限らず、例えば、無線ＩＣタグを備えた電子マネー機能付き携帯端末などであってもよい。
【００５９】
図５は、操作パネル４００の詳細構成の一例を示す図である。図５（Ａ）は操作パネル４００の全体概要を示す図である。図５（Ｂ）は一体型表示部４０１の初期画面の一例を示す図である。図中、Ｐは原稿位置決め指標点を示す。
図５（Ａ）において、操作パネル４００は、一体型表示部４０１、キースイッチ部４０２を備える。ユーザは、一体型表示部４０１の画面上の点Ｐを基準にして原稿４７をセットして、キースイッチ部４０２の「スタートキー」を押下することで原稿４７の読み取りを開始することができる。
【００６０】
図５（Ｂ）において、メインＣＰＵ１０１は、一体型表示部４０１の画面上に、原稿を読み取るための読取領域４１１と、原稿読取装置のメニュータブ４１０を表示するための操作領域とを設定する。本例は予め表示画面に読取領域が表示されている場合について示したものである。ユーザが一体型表示部４０１により原稿４７の読み取りを行いたい場合、「小サイズ原稿読取エリア」と表示されている読取領域４１１に原稿４７を載置する。また、読取領域４１１の下側にはメニュータブ４１０が表示され、メニュータブ４１０には操作キーの設定項目がタブ切り換え可能な状態で表示される。「詳細設定」タブでは後処理、片面・両面、集約（Ｎｉｎ１）、画像位置の設定を行う。
【００６１】
図６は、エリアセンサ部４０１ｂで原稿４７を読み取る場合の一体型表示部４０１の画面例を示す図である。図６（Ａ）は小サイズの原稿を載置した直後の画面例を示し、図６（Ｂ）は図６（Ａ）の状態でスタートキーが押下され読み取り処理が実行された後の画面例を示し、図６（Ｃ）は図６（Ｂ）の状態でＮｉｎ１キーが押下された後の画面例を示す。図中、４１２はプレビューエリア、４１３は用紙外形、４１４はプレビュー画像、４１５はＮｉｎ１キー、４１６は読取完了キーを示す。
【００６２】
ユーザが原稿４７を図５（Ｂ）に示した読取領域４１１上に載置すると、一体型表示部４０１のエリアセンサ部４０１ｂがこれを検知し、図６（Ａ）に示す画面表示に移行する。
図６（Ａ）において、原稿読取装置は、原稿４７が画面上に載置されたことを検知すると、「小サイズ原稿読取モード」に移行する。このモードに切り換わると、表示部４０１ａが「小サイズ原稿読取モード」に設定されたことを示す表示、例えば「スタートボタンオンで小サイズ原稿の読み取りを行います。」というメッセージを表示する。なお、モードの切り換えに伴い、メニュータブ４１０の右の項目が「詳細設定」から「画像位置」に変更される。
【００６３】
図６（Ｂ）において、メニュータブ４１０を含む操作領域には、例えば、プレビューエリア４１２などが表示され、このプレビューエリア４１２には用紙外形４１３（ここではＡ４サイズ）、原稿４７のサムネイル画像４１４が表示される。なお、サムネイル画像４１４は原稿４７の読み取り終了後に表示される。この原稿読み取り処理は、画面上に原稿４７がセットされ、操作パネル４００の「スタートキー」が押下されると実行される。
【００６４】
図６（Ａ）に示すように、原稿４７を画面上にセットした状態で、ユーザが操作パネル４００に設けられたキースイッチ部４０２の「スタートキー」を押下すると、エリアセンサ部４０１ｂにより原稿４７の読み取り処理が開始される。エリアセンサ部４０１ｂにより読み取られた原稿４７の画像データは、図６（Ｂ）に示すように、プレビューエリア４１２にサムネイル画像４１４がプレビュー表示される。なお、用紙外形４１３はＡ４サイズが選択されており、この用紙外形矩形の中央にサムネイル画像４１４が表示される。
【００６５】
ここで、Ｎｉｎ１キー４１５は、１ページに複数の原稿を集約するための集約（Ｎｉｎ１）モードに切り換えるか否かを確認するための操作キーである。ユーザがＮｉｎ１キー４１５を押下すると、原稿読取装置は、追加の原稿（原稿の裏面含む）の載置を待機する。そして、ユーザが追加の原稿をセットして「スタートキー」を押下すると、エリアセンサ部４０１ｂが追加の原稿を読み取り、表示部４０１ａがこれをプレビューエリア４１２にプレビュー表示する。この処理を追加原稿の数（Ｎ数）だけ繰り返す。このときの様子を図６（Ｃ）に示す。ここではＮｉｎ１キー４１５がグレー表示されてＮｉｎ１モードであることを示している。
【００６６】
図７は、無線ＩＣタグリーダ４０１ｃで無線ＩＣタグカード４６を読み取る場合の一体型表示部４０１の画面例を示す図である。ユーザが無線ＩＣタグカード４６を図５（Ｂ）に示した一体型表示部４０１に近接させると、一体型表示部４０１の無線ＩＣタグリーダ４０１ｃがこれを検知し、図７に示す画面表示に移行する。すなわち、原稿読取装置は、無線ＩＣタグカード４６が画面上に近接・載置されたことを検知すると、「無線ＩＣタグ読取モード」に移行する。このモードに切り換わると、表示部４０１ａが「無線ＩＣタグ読取モード」に設定されたことを示す表示、例えば、無線ＩＣタグの情報が電子マネー情報であれば、「電子マネー情報を検出しました。課金処理を行います。」というメッセージを表示する。
【００６７】
上記において、メインＣＰＵ１０１は、無線ＩＣタグカード４６が一体型表示部４０１の画面上に載置されると、一体型表示部４０１のエリアセンサ部４０１ｂがこれを検知するが、さらに、一体型表示部４０１の無線ＩＣタグリーダ４０１ｃが無線ＩＣタグの近接を検知するため、「小サイズ原稿読取モード」への移行を禁止し、「無線ＩＣタグ読取モード」に移行するように制御する。なお、無線ＩＣタグリーダ４０１ｃは、無線ＩＣタグカード４６を一体型表示部４０１の画面上にかざした状態、すなわち、無線ＩＣタグカード４６を画面上に載置せず、画面から所定距離離した状態で、無線ＩＣタグの近接を検知することができるため、近接を検知した時点で「無線ＩＣタグ読取モード」へ移行させるようにしてもよい。このように、ある対象物が一体型表示部４０１の画面上に近接あるいは載置された際に、無線ＩＣタグを検知した場合には「無線ＩＣタグ読取モード」に切り換え、一方、画面上に載置された対象物がカードサイズであり無線ＩＣタグの近接を検知しない場合には「小サイズ原稿読取モード」に切り換える。
【００６８】
また、無線ＩＣタグの情報が電子マネー情報である場合、原稿読取装置は、無線ＩＣタグリーダ４０１ｃにより読み取った電子マネー情報に基づいて課金処理を行う。
例えば、原稿読取装置が画像形成装置１００と接続され一体的に構成されている場合、画像形成装置１００を使用した費用（コピー料金等）の課金処理を、電子マネー情報により行うことが可能となる。
また、原稿読取装置が画像形成装置１００とコインベンダ１０８とに接続されている場合、画像形成装置１００を使用した費用の課金処理を、コインベンダ１０８あるいは電子マネー情報のいずれかにより行うことが可能となる。
【００６９】
上記例では、無線ＩＣタグカード４６のように無線ＩＣタグを備えていると自動的に「無線ＩＣタグ読取モード」に切り換わってしまうが、無線ＩＣタグカード４６を無線ＩＣタグとして使用せず、カード面に印字されている画像を読み取って印刷したいケースがある。このようなケースに対応できるように、ユーザがマニュアル設定で「小サイズ原稿読取モード」に切り換え可能としてもよい。
【００７０】
ここで、メインＣＰＵ１０１は、エリアセンサ部４０１ｂが検出した対象物からの反射光の領域に基づいて、対象物が原稿かユーザの指かを判定し、ユーザの指と判定した場合、エリアセンサ部４０１ｂによってユーザ操作を受け付けるユーザ操作モードに切り換える。これについて以下の図８に基づいて説明する。
【００７１】
図８は、一体型表示部４０１のエリアセンサ部４０１ｂで反射光の変化を検出したときの画像の読み取り状態の一例を示す図である。メインＣＰＵ１０１は、エリアセンサ部４０１ｂの反射光の変化を検出した受光素子を対象として、受光素子のＸ座標、Ｙ座標の最大値（Ｘmax，Ｙmax）、最小値（Ｘmin，Ｙmin）を算出する。図８（Ａ）に原稿４７を読み取ったときの状態を示す。また、図８（Ｂ）にユーザの指４８が接触し、指４８からの反射光を読み取ったときの状態を示す。
【００７２】
原稿読取装置は、反射光を検出した受光素子のＸ座標（Ｘmax，Ｘmin）の差分及びＹ座標（Ｙmax，Ｙmin）の差分が所定値Ｘth，Ｙthより大きいときは、エリアセンサ部４０１ｂ上には原稿４７が載置されていると判断して、「小サイズ原稿読取モード」に切り換えて、一体型表示部４０１のエリアセンサ部４０１ｂにより原稿４７の読み取りを行う。一方、Ｘ座標の（Ｘmax，Ｘmin）の差分及びＹ座標の（Ｙmax，Ｙmin）の差分が所定値Ｘth，Ｙthより小さいときは、指４８が載置されていると判断し、通常のユーザによる操作入力として受け付け、原稿台／ＳＰＦから読み取り操作を行う。
【００７３】
図９〜図１１は、本発明の原稿読取装置が備えるメインＣＰＵ１０１による処理の一例を説明するためのフロー図である。図１０，図１１は図９のフローの続きである。なお、本例は一体型表示部４０１の画面上に小サイズ原稿あるいは無線ＩＣタグカードを載置する場合について説明したものであり、これに限定されるものではない。
【００７４】
図９において、まず、メインＣＰＵ１０１は、キースイッチ部４０２へのキー入力の有無を判定する（ステップＳ１）。キー入力があった場合（ステップＳ１のＹＥＳの場合）、図１１のステップＳ２２に移行する。一方、キー入力がない場合（ステップＳ１のＮＯの場合）、エリアセンサ部４０１ｂのいずれかの受光素子で反射光の変化を検出したか否かを判定する（ステップＳ２）。ここで、反射光の出力に変化があった場合、原稿載置あるいはタッチ操作有りと判定する。反射光の変化を検出した場合（ステップＳ２のＹＥＳの場合）、エリアセンサ部４０１ｂ上に原稿が載置されているのかどうかを判定する（ステップＳ３）。一方、反射光の変化を検出しない場合（ステップＳ２のＮＯの場合）、ステップＳ１に戻り処理を繰り返す。
【００７５】
メインＣＰＵ１０１は、エリアセンサ部４０１ｂ上に原稿が載置されていると判定した（ステップＳ４のＹＥＳの場合）、無線ＩＣタグの近接を検出したか否かを判定し（ステップＳ５）、無線ＩＣタグの近接を検出した場合（ステップＳ５のＹＥＳの場合）、「無線ＩＣタグモード」を設定し、表示画面の表示を図７に示したように変更して、無線ＩＣタグ情報を読み取る（ステップＳ６）。一方、エリアセンサ部４０１ｂ上に原稿が載置されていないと判定した場合（ステップＳ４のＮＯの場合）、図１０のステップＳ１３に移行する。
【００７６】
また、メインＣＰＵ１０１は、無線ＩＣタグの近接を検出しない場合（ステップＳ５のＮＯの場合）、「小サイズ原稿読取モード」を設定し、表示画面の表示を前述の図６（Ａ）に示したように変更し（ステップＳ７）、原稿読取領域を設定する（ステップＳ８）。なお、反射光を受光した受光素子のＸ座標，Ｙ座標の最大値と最小値（Ｘｍａｘ，Ｙｍａｘ、Ｘｍｉｎ，Ｙｍｉｎ）を対角とする矩形内側の領域が原稿読取領域として設定される。
【００７７】
次に、メインＣＰＵ１０１は、ステップＳ６で無線ＩＣタグ情報を読み取り、種別情報ｄ２に基づいて電子マネー情報であるか否かを判定し（ステップＳ９）、電子マネー情報でない場合（ステップＳ９のＮＯの場合）、ステップＳ７に移行する。なお、本例では、電子マネー以外のＩＣカード（例えば、公共交通機関の乗車カードなど）の場合には、ＩＣカードの表面に印字されている画像自体を読み取るものとして、「小サイズ原稿読取モード」を設定する。
【００７８】
また、メインＣＰＵ１０１は、電子マネー情報である場合（ステップＳ９のＹＥＳの場合）、識別情報ｄ１に基づいて電子マネーサービスのサービス提供サーバにアクセスし、利用可能なユーザであるか否か、口座に残高があるか否か等を確認し、課金可能であるか否かを判定する（ステップＳ１０）。課金可能と判定した場合（ステップＳ１０のＹＥＳの場合）、電子マネーを用いた課金処理とする設定（課金エントリ処理）を実行する（ステップＳ１１）。この課金エントリ処理が実行されると、電子マネーを利用した複写が許可される。また、残高が無いなど課金可能ではないと判定した場合（ステップＳ１０のＮＯの場合）、一体型表示部４０１がこの旨を警告通知するためのエラー表示を行う（ステップＳ１２）。一体型表示部４０１の画面上から無線ＩＣタグが取り除かれると、処理を中止し、画面表示を初期画面に戻す。
【００７９】
図１０において、メインＣＰＵ１０１は、エリアセンサ部４０１ｂ上に原稿が載置されていないと判定した場合（ステップＳ４のＮＯの場合）、タッチ操作であると判定し、Ｘ座標，Ｙ座標の最大値と最小値（Ｘｍａｘ，Ｙｍａｘ、Ｘｍｉｎ，Ｙｍｉｎ）の中心位置がＮｉｎ１キーの表示領域に含まれているか否かを判定する（ステップＳ１３）。ここで、Ｘ座標，Ｙ座標の最大値と最小値の中心位置がＮｉｎ１キーの表示領域に含まれている場合（ステップＳ１３のＹＥＳの場合）、Ｎｉｎ１モードを設定する（ステップＳ１４）。
【００８０】
一方、Ｘ座標，Ｙ座標の最大値と最小値の中心位置がＮｉｎ１キーの表示領域に含まれていない場合（ステップＳ１３のＮＯの場合）、Ｘ座標，Ｙ座標の最大値と最小値の中心位置（Ｘｍａｘ，Ｙｍａｘ、Ｘｍｉｎ，Ｙｍｉｎ）が各種設定キー（用紙サイズ、倍率など）の表示領域に含まれているか否かを判定する（ステップＳ１５）。ここで、Ｘ座標，Ｙ座標の最大値と最小値の中心位置が各種設定キーの表示領域に含まれている場合（ステップＳ１５のＹＥＳの場合）、各種設定を実施する（ステップＳ１６）。
【００８１】
一方、Ｘ座標，Ｙ座標の最大値と最小値の中心位置が各種設定キーの表示領域に含まれていない場合（ステップＳ１５のＮＯの場合）、Ｘ座標，Ｙ座標の最大値と最小値の中心位置（Ｘｍａｘ，Ｙｍａｘ、Ｘｍｉｎ，Ｙｍｉｎ）が読取完了キーの表示領域に含まれているか否かを判定する（ステップＳ１７）。ここで、Ｘ座標，Ｙ座標の最大値と最小値の中心位置が読取完了キーの表示領域に含まれている場合（ステップＳ１７のＹＥＳの場合）、無線ＩＣタグカード４６の電子マネーにより課金エントリ処理が既になされているか否か、あるいは、コインベンダ１０８に複写１枚に要する金額以上のコインが投入されているか否かを判定する（ステップＳ１８）。一方、Ｘ座標，Ｙ座標の最大値と最小値の中心位置が読取完了キーの表示領域に含まれていない場合（ステップＳ１７のＮＯの場合）、ステップＳ１に戻り処理を繰り返す。
【００８２】
次に、メインＣＰＵ１０１は、課金エントリ処理あるいはコイン投入がなされていると判定した場合（ステップＳ１８のＹＥＳの場合）、エリアセンサ部４０１ｂにより読み取った原稿画像のプリント出力を行い（ステップＳ１９）、プリント出力後に課金決済処理を行い、支払いを完了させる（ステップＳ２０）。一方、課金エントリ処理あるいはコイン投入がなされていないと判定した場合（ステップＳ１８のＮＯの場合）、その旨を一体型表示部４０１が警告表示する（ステップＳ２１）。
【００８３】
なお、「小サイズ原稿読取モード」での複写処理は、読取完了キーのＯＮでスタートし、「小サイズ原稿読取モード」でスタートキーをＯＮしたときは、原稿読取とプレビュー表示を行うものとする。
【００８４】
図１１において、メインＣＰＵ１０１は、図９に示したステップＳ１でＹＥＳの場合（キー入力有りの場合）、スタートキーがＯＮされたか否かを判定する（ステップＳ２２）。スタートキーがＯＮされたと判定した場合（ステップＳ２２のＹＥＳの場合）、「小サイズ原稿読取モード」であるか否かを判定する（ステップＳ２３）。「小サイズ原稿読取モード」であると判定した場合（ステップＳ２３のＹＥＳの場合）、ステップＳ８で設定された原稿読取領域に対応する画面部分の表示を均一な１色の表示にし、原稿に照射される照射光を均一にして、エリアセンサ部４０１ｂにより、ステップＳ８で設定された原稿読取領域の原稿を読み取り、読み取った原稿画像を記憶する（ステップＳ２４）。なお、均一な１色は、カラー読み取りを行う場合には白色表示とする必要があるが、モノクロ読み取りである場合には必ずしも白色である必要はない。
【００８５】
次に、メインＣＰＵ１０１は、Ｎｉｎ１モードが設定されているか否かを判定し（ステップＳ２５）、Ｎｉｎ１モードが設定されている場合（ステップＳ２５のＹＥＳの場合）、エリアセンサ部４０１ｂで読み取った原稿画像をこれまでに記憶した原稿画像に追加の頁として記憶する（ステップＳ２６）。そして、図６（Ｂ）に示したように、Ｎｉｎ１キー、読取完了キーの表示を行うと共に、読み取り済み画像データと設定モードに基づいてプリントしたときの出力状態（プレビュー）を表示する（ステップＳ２７）。例えば、Ｎｉｎ１モードであれば、読み取った原稿画像の総数をＮｉｎ１のＮ数（原稿数）として設定し、全ての原稿画像を用紙１面に合成して、合成後の画像をプレビュー表示する。
【００８６】
一方、Ｎｉｎ１モードが設定されていない場合（ステップＳ２５のＮＯの場合）、エリアセンサ部４０１ｂで読み取った原稿画像を記憶し（ステップＳ２８）、ステップＳ２７に移行する。なお、この場合、Ｎｉｎ１モードではないので、既に記憶した原稿画像があった場合には、この記憶済み原稿画像をクリアする。そして、図９のステップＳ１に戻り処理を繰り返す。
【００８７】
また、メインＣＰＵ１０１は、「小サイズ原稿読取モード」でないと判定した場合（ステップＳ２３のＮＯの場合）、自動原稿処理装置（ＳＰＦ）１２０上に原稿が載置されていることを図示しない原稿センサで検知した場合、自動原稿処理装置１２０を用いて原稿の搬送、読取を行い、また、原稿センサで検知しない場合、原稿載置台９２上の原稿の読み取りを行う（ステップＳ２９）。そして、読み取った原稿画像をプリント出力し（ステップＳ３０）、図９のステップＳ１に戻り処理を繰り返す。
【００８８】
また、メインＣＰＵ１０１は、スタートキーがＯＮされていないと判定した場合（ステップＳ２２のＮＯの場合）、クリアキーがＯＮされたかどうかを判定し（ステップＳ３１）、クリアキーがＯＮされたと判定した場合（ステップＳ３１のＹＥＳの場合）、設定をクリアする（ステップＳ３２）。一方、クリアキーがＯＮされていないと判定した場合（ステップＳ３１のＮＯの場合）、図９のステップＳ１に戻り処理を繰り返す。
【００８９】
なお、上記フローではＮｉｎ１を確認する旨の確認入力を受け付けるように処理しているが、免許証などは裏表を１枚に合成する場合が多いので、Ｎｉｎ１モードの利用頻度が高い利用ケースでは小サイズ原稿読取モードの場合に予めＮｉｎ１モードに設定するようにしてもよい。
【００９０】
図１２は、図９に示したステップＳ３の原稿判定処理の一例を説明するためのフロー図である。本例では、エリアセンサ部４０１ｂで反射光の変化を検知した場合に原稿か指かの判定を行う処理について説明する。
【００９１】
メインＣＰＵ１０１は、反射光の変化が検知された全ての受光素子を対象として、受光素子のＸ座標、Ｙ座標の最大値（Ｘmax，Ｙmax）、最小値（Ｘmin，Ｙmin）を算出する（ステップＳ４１）。そして、Ｘ座標（Ｘmax，Ｘmin）の差分及びＹ座標（Ｙmax，Ｙmin）の差分いずれもがしきい値Ｘth，Ｙthより大きい場合（ステップＳ４２のＹＥＳの場合）、エリアセンサ部４０１ｂ上には原稿が載置されていると判定し（ステップＳ４３）、一方、そうでない場合（ステップＳ４２のＮＯの場合）、ユーザの指と判定する（ステップＳ４４）。なお、しきい値Ｘth，Ｙthとしては、原稿として考えられる最小サイズと、指の先端の面積として考えられる最大サイズの略中間の値、例えばＸth，Ｙth＝３０ｍｍに設定する。
【００９２】
図１３は、図１０に示したステップＳ２０の課金決済処理の一例を説明するためのフロー図である。
メインＣＰＵ１０１は、無線ＩＣタグにより電子マネーを利用した課金エントリ処理がされているか否かを判定し（ステップＳ５１）、課金エントリ処理がされている場合（ＹＥＳの場合）、無線ＩＣタグから取得される識別情報ｄ１に基づいて電子マネーから引き落とし処理を行う（ステップＳ５２）。また、ステップＳ５１において、課金エントリ処理がされていない場合（ＮＯの場合）、コインベンダ１０８により課金処理を行う（ステップＳ５３）。
【００９３】
図１４は、予め読取領域を設けずに、各種操作キーを含むメニュータブ４１０を表示した場合の初期画面の一例を示す図である。
図１４において、原稿読取装置は、初期画面として、前述の図５（Ｂ）に示した読取領域である「小サイズ原稿読取エリア」を設けずに、各種操作キーを含むメニュータブ４１０のみを表示する。メニュータブ４１０は、原稿読取装置の各種操作キーをメニュータブ毎に表示したもので、例えば、用紙サイズ、倍率、後処理、片面／両面、画像位置などのタブが切り換え可能な状態で表示される。なお、本例では用紙サイズとして、「Ａ４」が選択されているため、原稿４７はＡ４サイズで印刷出力される。
【００９４】
本例のように表示することで、メニュータブ４１０の表示領域が、原稿の読取領域である「小サイズ原稿読取エリア」に割り当てられることがなく、より多くのメニューを画面上に表示することが可能となる。
一体型表示部４０１のエリアセンサ部４０１ｂによって原稿４７が載置されたことが検知されると、前述の図６（Ａ）に示した画面表示に移行する。このように、原稿読取装置は、画面上に原稿４７が載置されると、この原稿４７が載置された領域を検出し、原稿４７が載置された領域以外を原稿読取装置の操作領域として表示する。
【００９５】
図１５は、本発明の原稿読取装置が備えるメインＣＰＵ１０１による処理の他の例を説明するためのフロー図である。図１５のフローは図９のフローの一部を変更したものである。本例では、図９のフローにステップＳ７０の処理が追加される。本例のステップＳ６１〜Ｓ６９の処理は図９のステップＳ１〜Ｓ９の処理と同様であり、ステップＳ７１〜Ｓ７３の処理は図９のステップＳ１０〜Ｓ１２の処理と同様である。このため、ステップＳ７０の処理についてのみ説明する。
【００９６】
ステップＳ７０において、無線ＩＣタグが複数の電子マネー情報を有する場合、メインＣＰＵ１０１は、一体型表示部４０１の画面上における無線ＩＣタグが載置された位置に応じて、複数の電子マネー情報のいずれかを選択できるようにしている。すなわち、１つの無線ＩＣタグに複数の電子マネーが利用可能なようにインストールされている場合で、且つ、画像形成装置で利用可能な電子マネーが複数存在する場合、ユーザは図１６に示すアイコン表示（電子マネー選択用アイコン４１７ａ，４１７ｂ）を見て、該当する電子マネーのアイコン領域に無線ＩＣタグを載置するだけで、ユーザが利用したい電子マネーを容易に選択することができる。
【００９７】
図１６は、複数の電子マネー情報を有する無線ＩＣタグカードを読み取る場合の一体型表示部４０１の初期画面の例を示す図である。図１６の例では、ユーザが無線ＩＣタグを電子マネー選択用アイコン４１７ａ上に載置すれば、「XYZ Electric Money」という電子マネーが利用可能となり、無線ＩＣタグを電子マネー選択用アイコン４１７ｂ上に載置すれば、「AAA Online Cash」という電子マネーが利用可能となる。このように、初期画面に表示される電子マネー選択用アイコン４１７ａ，４１７ｂ上に載置された無線ＩＣタグを決済用電子マネーとして選択することで、画像形成装置で利用可能な複数の電子マネーを容易に選択することが可能となる。なお、どのアイコン上に無線ＩＣタグが載置されているかは反射光の位置中心とアイコン表示位置により検出することができる。
【図面の簡単な説明】
【００９８】
【図１】本発明の一実施形態に係る画像形成装置の構成例を示す図である。
【図２】図１に示した画像形成装置の構成例を示すブロック図である。
【図３】本発明に係る一体型表示部の構造の一例を示す図である。
【図４】本発明の特徴部である一体型表示部が設けられた原稿読取装置の外観を示す図である。
【図５】操作パネルの詳細構成の一例を示す図である。
【図６】エリアセンサ部で原稿を読み取る場合の一体型表示部の画面例を示す図である。
【図７】無線ＩＣタグリーダで無線ＩＣタグカードを読み取る場合の一体型表示部の画面例を示す図である。
【図８】一体型表示部のエリアセンサ部で反射光の変化を検出したときの画像の読み取り状態の一例を示す図である。
【図９】本発明の原稿読取装置が備えるメインＣＰＵによる処理の一例を説明するためのフロー図である。
【図１０】本発明の原稿読取装置が備えるメインＣＰＵによる処理の一例を説明するためのフロー図で、図９のフローの続きである。
【図１１】本発明の原稿読取装置が備えるメインＣＰＵによる処理の一例を説明するためのフロー図で、図９のフローの続きである。
【図１２】図９に示したステップＳ３の原稿判定処理の一例を説明するためのフロー図である。
【図１３】図１０に示したステップＳ２０の課金決済処理の一例を説明するためのフロー図である。
【図１４】予め読取領域を設けずに、各種操作キーを含むメニュータブを表示した場合の初期画面の一例を示す図である。
【図１５】本発明の原稿読取装置が備えるメインＣＰＵによる処理の他の例を説明するためのフロー図である。
【図１６】複数の電子マネー情報を有する無線ＩＣタグカードを読み取る場合の一体型表示部の初期画面の例を示す図である。
【符号の説明】
【００９９】
１００…画像形成装置、１０１…メインＣＰＵ（制御部）、１０２…画像処理部、１０３…ＲＯＭ、１０４…ＲＡＭ、１０５…画像メモリ、１０６…ＮＩＣ、１０７…クライアントＰＣ、１１０…装置本体部、１２０…自動原稿処理装置、２００…画像形成部、２０１…定着ユニット、２０１ａ…定着ヒータ、２０１ｂ…定着温度センサ、２０２，３０２…ドライバ、２０３，３０３…サブＣＰＵ、２０４，３０４…Ａ／Ｄ、３００…原稿読取部、３０１…光源ランプユニット、３０１ａ…光源ランプ、３０１ｂ…光量センサ、４００…操作パネル、４０１…一体型表示部、４０１ａ…表示部、４０１ｂ…エリアセンサ部、４０２…キースイッチ部、４１０…メニュータブ、４１１…読取領域、４１２…プレビューエリア、４１３…用紙外形、４１４…サムネイル画像、４１５…Ｎｉｎ１キー、４１６…読取完了キー。
【図１】
0004521449.tif 000002
【図２】
0004521449.tif 000003
【図３】
0004521449.tif 000004
【図４】
0004521449.tif 000005
【図５】
0004521449.tif 000006
【図６】
0004521449.tif 000007
【図７】
0004521449.tif 000008
【図８】
0004521449.tif 000009
【図９】
0004521449.tif 000010
【図１０】
0004521449.tif 000011
【図１１】
0004521449.tif 000012
【図１２】
0004521449.tif 000013
【図１３】
0004521449.tif 000014
【図１４】
0004521449.tif 000015
【図１５】
0004521449.tif 000016
【図１６】
0004521449.tif 000017